(57)【要約】    【課題】  簡単な構造でノイズ抑制効果が高いマイクの取付構造を有する電子機器およびカメラを提供する。    【解決手段】  弾性体で形成された保持部材２００を用いてマイク５およびマイクカバー３０をカメラボディ１に設けられた凹部１１０に挿入して固定した状態では、マイク５，マイクカバー３０、およびカメラボディ１は、互いに直接接触しない。マイク５の集音側端面５１が露出している空間Ｂは、カメラボディ１で囲まれたデジタルカメラ１００の内部空間Ｃとは、保持部材２００および凹部１１０によって隔てられている。したがって、カメラボディ１やマイクカバー３０に生じた振動が保持部材２００で吸収されるとともに、カメラボディ１からマイクカバー３０に伝わる振動も抑制される。また、デジタルカメラ１００の内部で発生する騒音が空間、すなわち空気を伝達してマイク５に伝わらない。【選択図】      図２
2005354581.tif 000002
【特許請求の範囲】
【請求項１】
マイクと、
前記マイクを取り付けるために筐体に設けられた凹部と、
前記凹部に取り付けられた前記マイクを保護するマイクカバーと、
前記マイク、前記筐体、および前記マイクカバーが互いに直接接触しないように保持しながら、前記マイクおよび前記マイクカバーを前記凹部に弾性体を介して取り付ける弾性手段とを備えることを特徴とする電子機器。
【請求項２】
請求項１に記載の電子機器において、
前記マイクの集音側の表面が露出する空間は、前記弾性手段によって前記筐体の内側の空間とは隔てられていることを特徴とする電子機器。
【請求項３】
請求項１または請求項２に記載の電子機器において、
前記弾性手段は、一体成型された弾性体からなる弾性部材であり、
前記弾性部材および前記筐体のうちいずれか一方には、前記弾性部材を前記凹部に挿入して固定する際の挿入方向に対して略垂直方向に突出した凸状部分が設けられ、
前記弾性部材および前記筐体のうち他方には、前記弾性部材を前記凹部に挿入して固定した際に、前記凸状部分が嵌合して前記弾性部材を前記筐体に係止する凹状部分が設けられることを特徴とする電子機器。
【請求項４】
請求項１〜３のいずれかの項に記載の電子機器を備えることを特徴とするカメラ。
【発明の詳細な説明】
【技術分野】
【０００１】
本発明は、筐体にマイクが組み込まれた電子機器に関する。
【背景技術】
【０００２】
機器の本体に組み込まれたマイクによって録音を行うカメラやビデオなどの電子機器では、機器の内部で発生する音や機器から伝達される振動に由来するノイズが抑制されるようにマイクを取り付けている。たとえば、マイクを保持するマイク保持体と、ダンパー部材を介してマイク保持体と一体的に成形されたフランジ部分とを備える弾性部材を用いて、フランジ部分を機器の本体部分で挟みつけることで機器にマイクを取り付けた電子機器が知られている（特許文献１参照）。
【０００３】
【特許文献１】特開平１０−２９４９８１号公報
【発明の開示】
【発明が解決しようとする課題】
【０００４】
しかし、この電子機器では、構造が複雑でコスト高となることや、機器本体の振動が機器の本体部分で挟みつけたフランジ部分を介してマイクの集音面の前方に配設されたカバー部分に伝達されてしまい、ノイズ抑制効果が少なくなる等の問題がある。
【課題を解決するための手段】
【０００５】
（１）  請求項１の発明による電子機器は、マイクと、マイクを取り付けるために筐体に設けられた凹部と、凹部に取り付けられたマイクを保護するマイクカバーと、マイク、筐体、およびマイクカバーが互いに直接接触しないように保持しながら、マイクおよびマイクカバーを凹部に弾性体を介して取り付ける弾性手段とを備えることを特徴とする。
（２）  請求項２の発明は、請求項１に記載の電子機器において、マイクの集音側の表面が露出する空間は、弾性手段によって筐体の内側の空間とは隔てられていることを特徴とする。
（３）  請求項３の発明は、請求項１または請求項２に記載の電子機器において、弾性手段は、一体成型された弾性体からなる弾性部材であり、弾性部材および筐体のうちいずれか一方には、弾性部材を凹部に挿入して固定する際の挿入方向に対して略垂直方向に突出した凸状部分が設けられ、弾性部材および筐体のうち他方には、弾性部材を凹部に挿入して固定した際に、凸状部分が嵌合して弾性部材を筐体に係止する凹状部分が設けられることを特徴とする。
（４）  請求項４の発明によるカメラは、請求項１〜３のいずれかの項に記載の電子機器を備えることを特徴とする。
【発明の効果】
【０００６】
本発明によれば、筐体やマイクカバーに生じた振動が弾性体で形成された弾性手段で吸収されるので、マイクに伝達される振動は効果的に抑制される。したがって、筐体やマイクカバーからマイクに伝達される振動によるノイズを効果的に抑制できる。
【発明を実施するための最良の形態】
【０００７】
−−−全体構成−−−
図１〜１０を参照して、本発明による電子機器をカメラに適用した一実施の形態を説明する。図１は、本発明を適用したカメラの一例であるデジタルカメラの正面斜視図である。デジタルカメラ１００は沈胴式レンズを搭載した、いわゆるコンパクト・デジタルカメラであり、カメラボディ１に対して沈胴状態からレンズの光軸方向に繰り出されるレンズ鏡筒２と、撮像素子１０とを備えている。なお、以下の説明では、デジタルカメラ１００のレンズ光軸に沿って、被写体側を前方とし、撮像素子１０側を後方とするとともに、各構成要素についてもデジタルカメラ１００への取付姿勢を基準として各説明図における前後方向を規定する。
【０００８】
カメラボディ１の前面には、ストロボ３と、ファインダー４とが設けられている。後に詳述するように、カメラボディ１の前面の凹部１１０には、マイク５が取り付けられている。  カメラボディ１の上面にはシャッターレリーズボタン６と、撮影モードを切り替えるモードダイヤル７とが設けられている。また、カメラボディ１の背面には焦点距離を調節する不図示のズームボタンや、撮像素子１０で捉えた画像を表示する液晶モニター（不図示）や、液晶モニターに種々の情報設定項目や情報のメニュー画面を表示させるためのスイッチであるメニューボタン（不図示）などが設けられている。
【０００９】
このデジタルカメラ１００は、静止画の撮像機能の他に、動画撮影機能と、動画撮影時の音声録音機能と、撮像操作とは関係なく音声を録音する音声メモ機能とを備えている。撮像素子１０で撮像した画像データ、およびマイク５で捉えた音声データは、電子データとしてデジタルカメラ１００に装着した記録媒体（不図示）に記録される。
【００１０】
−−−マイク５の取付構造−−−
図２は、図１に示したデジタルカメラ１００の上方から凹部１１０の近傍を見たときのＡ矢視の断面図である。凹部１１０には、マイク５と、弾性体からなる保持部材２００と、マイクカバー３０とが配設されている。マイク５およびマイクカバー３０は、保持部材２００に保持された状態で保持部材２００とともに凹部１１０に挿入されて係止されている。
【００１１】
図３は、カメラボディ１に設けられた凹部１１０の断面形状を示す図である。凹部１１０は、カメラボディ１の前面に設けられた略円形の開口端１１１から後方に向かって延在する略円柱形状の空間を形成するくぼみである。凹部１１０の内周面は、径が異なる３つの部分から構成されている。この径が異なる内周面の各部分のうち、開口端１１１に最も近い部分を第１内周面１１２と呼び、第１内周面１１２の後方で隣接する部分を溝部１１３と呼び、溝部１１３の後方で隣接する部分を第２内周面１１４と呼ぶ。溝部１１３の内径は、第１内周面１１２および第２内周面１１４の内径よりも大きい。第２内周面１１４の後方端は、第２内周面１１４と一体的に成形された凹部１１０の底面１１５に接している。底面１１５には穴１１６が設けられている。
【００１２】
図４は、マイク５の側面図である。マイク５は、略円柱形状の小型のコンデンサマイクロフォンであり、集音用の開口を有する端面（以下、集音側端面と呼ぶ）５１と、円柱形状の側面５２と、リード線５３ａの一端が接続された端面（以下、リード側端面と呼ぶ）５３とを有する。リード線５３ａの他端にはコネクタ５３ｂが設けられている。
【００１３】
図５は、保持部材２００の断面図である。保持部材２００は、エラストマー等の弾性体で一体成形された、内外周面に凹凸を有する略円筒形状の弾性部材である。保持部材２００の内側には、マイク５を保持するためのマイク保持部２５０と、マイクカバー３０を保持するためのマイクカバー保持部２３０と、マイク保持部２５０とマイクカバー保持部２３０とを隔てる突条２１１とが設けられている。
【００１４】
保持部材２００の底部２０１には、マイク保持部２５０で保持したマイク５のリード線５３ａを導く管状部２０２が突設されている。管状部２０２には、マイク５のリード線５３ａが貫通可能な貫通孔２０３が設けられ、管状部２０２の後方端部には、径方向に突出した係止部２０２ａが形成されている。貫通孔２０３は、マイク５のリード側端面５３に当接する底部保持部２５１に達して開口している。なお、径方向とは、デジタルカメラ１００の前後方向に平行な軸に対して垂直な方向のことをいう。
【００１５】
マイク保持部２５０は、保持部材２００の底部２０１の近傍に設けられ、マイク５のリード側端面５３と接する底面保持部２５１と、マイク５の側面５２と接する側面保持部２５２と、マイク５の集音側端面５１の周縁と接する上面保持部２５３とを備えている。上面保持部２５３は、突条２１１の後方端面であり、マイク５の集音側端面５１の周縁部分を除いて開口している。
【００１６】
マイクカバー保持部２３０は、突条２１１の前方部分に隣接して設けられ、後述するマイクカバー３０の側面部分を保持する側面保持部２３１と、マイクカバー３０のフランジ部分が係合する溝部２３２とを有する。マイクカバー保持部２３０の前端部分は保持部材２００の前部開口端２０５である。
【００１７】
保持部材２００の外周面には突条２２３が設けられている。突条２２３の前方で隣接する保持部材２００の外周面を第１外周面２２１と呼び、突条２２３の後方で隣接する保持部材２００の外周面を第２外周面２２２と呼ぶ。
【００１８】
図６は、マイクカバー３０の断面図である。マイクカバー３０は、キャップ形状を呈する部材であり、円筒部３１の前方端面にはマイク５への異物の接触などを防止しつつ、音声を伝達するための複数の孔３２を有する蓋部３３が設けられている。円筒部３１の後方端部には、径方向に突出したフランジ部３４が形成されている。
【００１９】
マイクカバー３０の材質には、アルミなどの金属やプラスチック材料が一般的に使用されているが、マイクカバー３０に外部から衝撃が加えられた場合にマイクカバーが振動して音を発してしまう。この影響を少なくするためにはマイクカバー３０の材質の弾性率Ｅと密度ρを選択し、マイクカバー３０の固有振動数を低周波数側に設定する方法がある。
【００２０】
衝撃による入力周波数特性は一般的に低周波数から高周波数まで全体的に含まれており、マイクカバー３０の固有振動数が耳障りな中〜高周波数帯にあると、この周波数帯の音が大きくなり、再生時に雑音として目立つようになる。固有振動数ｆは弾性率Ｅと密度ρの比Ｅ／ρに比例するので、固有振動数を低くするには弾性率Ｅを下げるか密度ρを高くすることで実現できる。したがってマイクカバー３０の材質としては金属粉末を含有する樹脂や比重が高い材料が好ましい。
【００２１】
図２に示すように、マイク５が保持部材２００を介して凹部１１０に挿入されて係止されている状態では、マイク５は、リード側端面５３が底面保持部２５１で、集音側端面５１の周縁が上面保持部２５３でそれぞれ弾性的に保持されることで前後方向に動かないように固定される。また、側面５２が側面保持部２５２で弾性的に保持されるので、マイク５は径方向に動かないように固定される。
【００２２】
マイクカバー３０が保持部材２００を介して凹部１１０に挿入されて係止されている状態では、円筒部３１は側面保持部２３１で弾性的に保持される。また、フランジ部３４が溝部２３２と係合することで、溝部２３２に弾性的に挟持されるので、マイクカバー３０は径方向および前後方向に動かないように固定される。
【００２３】
マイク５およびマイクカバー３０を保持した保持部材２００は、凹部１１０に挿入されると、保持部材２００の底部２０１が凹部１１０の底面１１５に当接し、保持部材２００の突条２２３が凹部１１０の溝部１１３と係合することで、凹部１１０に対して前後方向に動かないように弾性的に固定される。また、保持部材２００の第１外周面２２１が凹部１１０の第１内周面１１２に挿入され、保持部材２００の第２外周面２２２が凹部１１０の第２内周面１１４に挿入されるので、保持部材２００は、凹部１１０に対して径方向に動かないように弾性的に固定される。
【００２４】
保持部材２００の管状部２０２は、凹部１１０の底面１１５に設けられた穴１１６を貫通して、係合部２０２ａが穴１１６の後方で穴１１６の周縁部分に係合する。マイク５のリード線５３ａは、貫通孔２０３からデジタルカメラ１００の内部に引き出され、コネクタ５３ｂがデジタルカメラ１００の内部の基板１１に設けられたコネクタ１１ａと接続される。
【００２５】
上述のように、保持部材２００を用いてマイク５およびマイクカバー３０を凹部１１０に挿入して固定した状態では、マイク５，マイクカバー３０、およびカメラボディ１は、互いに直接接触しない。すなわち、カメラボディ１はマイク５およびマイクカバー３０に直接接触せず、マイク５とマイクカバー３０も互いに直接接触しない。換言すると、マイク５，マイクカバー３０、およびカメラボディ１は、互い相手の部材との間に保持部材２００が介在している。
【００２６】
−−−組み立て順序−−−
マイク５およびマイクカバー３０は、次のようにして凹部１１０に挿入して固定される。まず、図７に示すように、保持部材２００のマイク保持部２５０にマイク５を挿入する。リード線５３ａおよびコネクタ５３ｂは、管状部２０２の貫通孔２０３から後方に引き出しておく。これにより、マイク５は保持部材２００に保持される。
【００２７】
次に、図８に示すように、マイク保持部２５０にマイク５が挿入された保持部材２００を前方から凹部１１０に挿入する。これにより、図９に示すように、保持部材２００の突条２２３が凹部１１０の溝部１１３と係合し、管状部２０２の係合部２０２ａが穴１１６の後方で穴１１６の周縁部分に係合する。
【００２８】
次に、図９に示すように、凹部１１０に挿入された保持部材２００のマイクカバー保持部２３０にマイクカバー３０を挿入する。これにより、フランジ部３４が溝部２３２と係合することで、溝部２３２に弾性的に挟持される。
【００２９】
−−−各部の寸法について−−−
マイク５およびマイクカバー３０が保持部材２００で弾性的に保持されるためには、各部材が挿入されて係止されたときに、保持部材２００が適度に圧縮されている必要がある。保持部材２００の材質としては、上述のように弾性体が用いられるが、振動吸収および音吸収に効果がある、一般的なゴムに比べて柔らかいゴム状（ゲル状を含む）材が推奨される。これらの材質では、各部材の振動を保持部材２００で効果的に抑制するためには、圧縮力が作用していないときの寸法の５〜１０％程度の潰し代がよいとされているものが多い。なお、保持部材２００の材質には、スポンジ、あるいは吸音材を用いても構わない。
【００３０】
図１０に示した各部の前後方向の寸法のうち、凹部１１０の第１内周面１１２と溝部１１３との境界部分から底面１１５までの距離をＤとし、マイクカバー３０のフランジ部３４の前後方向の厚さをｔ１とし、マイク５の前後方向の厚さをｔ２とする。凹部１１０に取り付ける前の、すなわち圧縮力が作用していない状態の保持部材２００の突条２２３と第１外周面２２１との段差部分から溝部２３２の前方端面までの距離をｄ１とし、溝部２３２の前方端面から上面保持部２５３までの距離をｄ２とし、底面保持部２５１から底部２０１までの距離をｄ３とする。
【００３１】
本実施の形態では、図１０に示した各部の前後方向の寸法が、次式の関係となるように設計されている。
Ｄ＜ｄ１＋ｔ１＋ｄ２＋ｔ２＋ｄ３  ・・・（１）
すなわち、マイク５およびマイクカバー３０が保持部材２００に保持された状態で保持部材２００とともに凹部１１０に挿入されて係止されている状態では、マイク５およびマイクカバー３０のフランジ部３４には、保持部材２００による前後方向の圧縮力が作用する。
【００３２】
また、各部の径方向の寸法については、上述したように前後方向に圧縮される保持部材２００の径方向の変形量を加味して適宜決定している。
【００３３】
本実施の形態のデジタルカメラ１００では、次の作用効果を奏する。
（１）  カメラボディ１やマイクカバー３０がこすられたり、レンズ駆動などデジタルカメラ１００の内部機器が駆動されることによって、カメラボディ１やマイクカバー３０に生じた振動がマイク５に伝達されると、ノイズとして録音されてしまう。しかし、本実施の形態のデジタルカメラ１００では、カメラボディ１やマイクカバー３０に生じた振動が弾性体で形成された保持部材２００で吸収されるので、マイク５に伝達される振動は効果的に抑制される。したがって、カメラボディ１やマイクカバー３０からマイク５に伝達される振動によるノイズを効果的に抑制できる。
【００３４】
（２）  カメラボディ１とマイクカバー３０とが直接接触している場合や、直接接触していなくても両者間で振動が伝達されやすい構造となっている場合には、カメラボディ１の振動がマイクカバー３０へ伝達されてしまう。これにより、カメラボディ１の振動によってマイク５の集音側端面５１の前方に配設されたマイクカバー３０が振動して、ノイズの原因となる音を発生させてしまう。しかし、本実施の形態のデジタルカメラ１００では、上述したように、カメラボディ１とマイクカバー３０との間に保持部材２００が介在する構造となっているので、カメラボディ１からマイクカバー３０に伝わる振動も抑制できる。したがって、カメラボディ１の振動によって生じるマイクカバー３０の振動音によるノイズを効果的に抑制できる。
【００３５】
（３）  円筒部３１およびフランジ部３４が保持部材２００で弾性的に保持されているので、マイクカバー３０自体の振動が抑制される。これにより、マイクカバー３０の蓋部３３がこすられても、マイクカバー３０の振動による音の発生が抑制されるので、マイクカバー３０の振動音によるノイズを効果的に抑制できる。
【００３６】
（４）  マイク５の集音側端面５１が露出している空間Ｂは、カメラボディ１で囲まれたデジタルカメラ１００の内部空間Ｃとは、保持部材２００および凹部１１０によって隔てられている。これにより、デジタルカメラ１００の内部で発生する騒音が空間、すなわち空気を伝達してマイク５に伝わらないので、デジタルカメラ１００の内部で発生する騒音によるノイズを効果的に抑制できる。
【００３７】
（５）  マイク５を挿入した保持部材２００と、マイクカバー３０とを凹部１１０に挿入することで、各部材をカメラボディ１に取り付けられるように構成されているので、取付が容易である。また、保持部材２００を弾性体で一体成形したので、部品点数を抑制するとともに、各部材の取付を容易にしている。これにより、組み立てコストを低減できる。
【００３８】
−−−変形例−−−
（１）  上述の説明では、凹部１１０の第１内周面１１２と第２内周面１１４との間に溝部１１３が設けられ、この溝部１１３に保持部材２００の突条２２３が係合するように構成されているが、本発明はこれに限定されない。たとえば、凹部１１０と保持部材２００の凹凸関係が逆であってもよい。すなわち、凹部１１０の第１内周面１１２と第２内周面１１４との間に突条が設けられ、この突条が保持部材２００の外周面に設けられた溝部と係合するように構成してもよい。なお、この突条は断続的に形成された突条でもよく、突条ではなく突起状のものであってもよい。
【００３９】
（２）  上述の説明では、各部材は略円柱形状もしくは略円筒形状であるため、デジタルカメラ１の前方から見たときの形状は略円形であるが、本発明はこれに限定されない。たとえば、デジタルカメラ１の前方から見たときの形状が多角形となるように各部材を構成してもよい。また、すべての部材がデジタルカメラ１の前方から見たときに円形もしくは同一角数の多角形でなくてもよく、たとえば楕円形状のマイクと６角形の保持部材とを用いてもよい。
【００４０】
（３）  上述の説明では、本発明をデジタルカメラ１００に適用した実施の形態について説明したが、上述の説明のようにカメラボディに取り付けたマイクで音声情報を記録することができるカメラであれば、本発明はデジタルカメラに限定されない。たとえば、ＡＰＳフィルムのように、フィルムの磁気層に情報を記録できるフィルムを用いる銀塩カメラにも本発明は適用でき、動画を撮影するビデオカメラにも本発明は適用できる。このように、本発明は、音声と映像とを同一媒体に記録するものにも適用できる。なお、音声と映像とを同一機器で記録する装置であれば、音声と映像とは別の媒体に記録されてもよい。
【００４１】
さらに、マイクを用いる情報機器であれば、カメラやビデオカメラに限らず、携帯電話であってもよく、ＰＤＡのような携帯情報端末であってもよい。
（４）  上述した各実施の形態および変形例は、それぞれ組み合わせてもよい。
【００４２】
以上の実施の形態およびその変形例において、たとえば、筐体はカメラボディ１に、弾性手段および弾性部材は保持部材２００にそれぞれ対応する。さらに、本発明の特徴的な機能を損なわない限り、本発明は、上述した実施の形態における機器構成に何ら限定されない。
【図面の簡単な説明】
【００４３】
【図１】本発明によるデジタルカメラ１００の正面斜視図である。
【図２】図１に示したデジタルカメラ１００の上方から凹部１１０の近傍を見たときのＡ矢視の断面図である。
【図３】カメラボディ１に設けられた凹部１１０の断面形状を示す図である。
【図４】マイク５の側面図である。
【図５】保持部材２００の断面図である。
【図６】マイクカバー３０の断面図である。
【図７】保持部材２００のマイク保持部２５０にマイク５を挿入した状態を示す図である。
【図８】マイク保持部２５０にマイク５が挿入された保持部材２００を凹部１１０に挿入する様子を示す図である。
【図９】凹部１１０に挿入された保持部材２００のマイクカバー保持部２３０にマイクカバー３０を挿入する様子を示す図である。
【図１０】各部の寸法について説明する図である。
【符号の説明】
【００４４】
１  カメラボディ                                ２  レンズ鏡筒
５  マイク                                      １０  撮像素子
３０  マイクカバー                              １００  デジタルカメラ
１１０  凹部                                    １１３  溝部
２００  保持部材                                ２２３  突条
【図１】
2005354581.tif 000003
【図２】
2005354581.tif 000004
【図３】
2005354581.tif 000005
【図４】
2005354581.tif 000006
【図５】
2005354581.tif 000007
【図６】
2005354581.tif 000008
【図７】
2005354581.tif 000009
【図８】
2005354581.tif 000010
【図９】
2005354581.tif 000011
【図１０】
2005354581.tif 000012